(57)【要約】【課題】油の浸透を抑止して高温処理において被処理物の品質への影響が小さくでき、また軽量に構成できる油焼き入れ熱処理炉用トレーを提供することを目的としている。【解決手段】炭素材料からなり、被処理物を載置した状態で該被処理物の油焼入れが可能なトレーであって、前記炭素材料では、気孔半径１μｍ以上の累積気孔容積が４０ｍｍ３／ｇ以下となっていることを特徴としており、前記炭素材料は、Ｃ／Ｃコンポジットに熱硬化性樹脂を含浸させて焼成したものであることが望ましい。【選択図】図２
2014162694.tif 000002
【特許請求の範囲】
【請求項１】
炭素材料からなり、被処理物を載置した状態で該被処理物の油焼入れが可能なトレーであって、前記炭素材料では、気孔半径１μｍ以上の累積気孔容積が４０ｍｍ３／ｇ以下となっていることを特徴とする油焼き入れ熱処理炉用トレー。
【請求項２】
前記炭素材料は、Ｃ／Ｃコンポジットを用いて形成されたものである、請求項１に記載の油焼き入れ熱処理炉用トレー。
【請求項３】
前記炭素材料は、Ｃ／Ｃコンポジットに熱硬化性樹脂を含浸させて焼成したものである、請求項１又は２に記載の油焼き入れ熱処理炉用トレー。
【請求項４】
前記炭素材料は、含浸前の原材料の累積気孔容積が７０ｍｍ３／ｇ以上である、請求項３に記載の油焼き入れ熱処理炉用トレー。
【請求項５】
前記炭素材料は、かさ密度が１．８ｇ／ｃｍ３以下である、請求項１〜４のいずれか１項に記載の油焼き入れ熱処理炉用トレー。
【請求項６】
浸炭処理に用いられる、請求項１〜５のいずれか１項に記載の油焼き入れ熱処理炉用トレー。
【発明の詳細な説明】
【技術分野】
【０００１】
本発明は油焼き入れ熱処理炉用トレーに関するものである。
【背景技術】
【０００２】
熱処理炉では８００℃以上の高温での熱処理を行うが、金属製トレーは、高温強度が不十分なために、使用中に変形や亀裂が発生し易く、寿命が短い。そこでＣ／Ｃ等の炭素材料製のトレーは金属製トレーに比べて高温強度が高いため、高温熱処理においても、変形や亀裂の発生が少ない。また炭素材料は、軽量設計が可能なため熱容量を小さく抑えられ、操炉の消費電力が少ないメリットもある。しかし材料中に気孔を多く含む多孔性材料のため、油焼き入れ熱処理をする場合、熱処理後に被熱処理物をトレーとともに油に浸漬させて急冷させると、Ｃ／Ｃの気孔内に油が浸透して残留する。このトレ―を再度使用する際に、油が残留すると熱処理中に油が分解し、被処理物の変色等の悪影響を及ぼすことがある。
【０００３】
このような問題点を解決するものとして、Ｃ／Ｃ材にシリコンを含浸させた油焼き入れ熱処理炉用Ｃ／Ｃ製トレーが開示されている。（下記特許文献１参照）。
【先行技術文献】
【特許文献】
【０００４】
【特許文献１】特開２００４−０６７４７８号公報
【発明の概要】
【発明が解決しようとする課題】
【０００５】
しかしながら、シリコンを含浸させたＣ／Ｃ製トレーでは、高温処理において被処理物とシリコン成分が反応してケイ化物が生じやすく、処理物の品質に影響を及ぼす恐れがある。また含浸したシリコンにより重量が大きくなり炭素材料の長所である軽量さが発揮されず、含浸されたシリコンにより熱容量が大きくなることも懸念される。更に、シリコンは油に対する濡れ性が高いため、油の浸透を防ぐには緻密な組織を形成して開気孔率を極めて小さくする必要があり、上記不具合が助長されると共に、製造工程も煩雑なものとなる。
【０００６】
そこで本発明は、油の浸透を抑止して高温処理において被処理物の品質への影響が小さくでき、また軽量に構成できる油焼き入れ熱処理炉用トレーを提供することを目的としている。
【課題を解決するための手段】
【０００７】
上記目的を達成するために本発明は、炭素材料からなり、被処理物を載置した状態で該被処理物の油焼入れが可能なトレーであって、前記炭素材料では、気孔半径１μｍ以上の累積気孔容積が４０ｍｍ３／ｇ以下となっていることを特徴とする。
【発明の効果】
【０００８】
本発明によれば、油の浸透を抑止して高温処理において被処理物の品質への影響が小さくでき、また軽量に構成できる油焼き入れ熱処理炉用トレーを提供できるといった優れた効果を奏する。
【図面の簡単な説明】
【０００９】
【図１】実施例１〜３及び比較例１，２において、気孔半径１μｍ未満の累積気孔容積と気孔半径１μｍ以上の累積気孔容積を示すグラフ。
【図２】気孔半径１μｍ以上の累積気孔容積とオイル浸み込み量との関係を示すグラフ。
【発明を実施するための形態】
【００１０】
本発明は、炭素材料からなり、被処理物を載置した状態で該被処理物の油焼入れが可能なトレーであって、前記炭素材料では、気孔半径１μｍ以上の累積気孔容積が４０ｍｍ３／ｇ以下となっていることを特徴とする。
炭素材料では、気孔半径１μｍ以上の累積気孔容積が４０ｍｍ３／ｇ以下となっていれば、オイルの浸み込み量が飛躍的に少なくなる。また、炭素材料からなることで、被処理物の品質への影響を防ぐことが出来る。更に、重量や熱容量を低く抑えることができる。
【００１１】
前記炭素材料は、Ｃ／Ｃコンポジットを用いて形成されたものであることが望ましい。
Ｃ／Ｃ製トレーは金属製トレーに比べて高温強度や耐熱衝撃性が高く、高温熱処理においても、変形や亀裂の発生が少ない。また、高温強度が高く軽量設計が可能なため、熱容量を小さく抑えられ、消費電力が少ない利点もある。
【００１２】
前記炭素材料は、Ｃ／Ｃコンポジットに熱硬化性樹脂を含浸させて焼成したものであることが望ましい。
Ｃ／Ｃコンポジット材の優れた特性を損なわず、且つ累積気孔容積を調整する材料が分離し難い構成とできる。またＣ／Ｃコンポジッドはトレーへの加工後、加工端面から油が浸透しやすく、含浸により端面を被覆することも可能となる。
【００１３】
前記炭素材料は、含浸前の原材料の累積気孔容積が７０ｍｍ３／ｇ以上であることが望ましい。
Ｃ／Ｃコンポジットは、元来ポーラスな材料であり、含浸による累積気孔容積の縮小の効果が大きい。
【００１４】
前記炭素材料は、かさ密度が１．８ｇ／ｃｍ３以下であることが望ましい。
炭素材料からなることで、かさ密度を容易に１．８ｇ／ｃｍ３以下とすることができ、軽量に構成することが容易である。
【００１５】
上述の油焼き入れ熱処理炉用トレーは浸炭処理に用いられることが望ましい。
浸炭処理により、金属やシリコンは耐熱衝撃性が低下し、焼入れ時に割れが生じる恐れがあるが、炭素材料からなることで、浸炭されても脆化が進行しないため、耐熱衝撃性の低下を防ぐことができる。
尚、用いられる熱処理炉としては、８００〜１０００℃程度で用いられる炉であることが望ましい。
【実施例】
【００１６】
（実施例１）
東洋炭素（株）ＣＸ−７６１（ＰＡＮ系炭素繊維を使用し、フェノール樹脂を添加し、プレス成形した後、緻密化のためピッチ含浸、焼成を３回繰り返すことにより、かさ密度１．６３Ｍｇ／ｍ３、気孔半径１μｍ以上の累積気孔容積が５５ｍｍ３／ｇであるＣ／Ｃ材）の厚み５ｍｍの板材を組み合せ、トレー形状に加工してトレー前駆体とした。このトレー前駆体に、比重１．１６のフェノール樹脂（住友ベークライト製）を大気圧下で１回含浸、焼成することにより、かさ密度１．６３Ｍｇ／ｍ３、気孔半径１μｍ以上の累積気孔容積が３０ｍｍ３／ｇの油焼き入れ熱処理炉用トレー（以下、単に熱処理炉用トレーと称することがある）を得た。
【００１７】
（実施例２）
実施例１と同様のトレー前駆体に、比重１．１６のフェノール樹脂（住友ベークライト製）に減圧浸漬後、０．５ＭＰａで１回加圧含浸、焼成することにより、熱処理炉用トレーを得た。
【００１８】
（実施例３）
実施例1と同様のトレー前駆体を真空炉内に配置し、１１００℃まで昇温した後、ＣＨ４ガスを１０（ｌ／ｍｉｎ）の流速で流しながら、圧力を１０Ｔｏｒｒにコントロールしつつ１００時間保持して、熱分解炭素をＣＶＩ処理により含浸させることにより、熱処理炉用トレーを得た。
【００１９】
（比較例１）
実施例１のトレー前駆体をそのまま熱処理炉用トレーとして用いた。
【００２０】
（比較例２）
実施例1のトレー前駆体に、比重１．０３のフェノール樹脂（住友ベークライト製）を大気圧下で１回含浸、焼成することにより熱処理炉用トレーを得た。
【００２１】
（実験１）
上記実施例１〜３及び比較例１，２で示した熱処理炉用トレーのかさ密度と累積気孔容積（気孔半径１μｍ未満の累積気孔容積と気孔半径１μｍ以上の累積気孔容積）とを調べたので、それらの結果を表１及び図１に示す。
【００２２】
尚、かさ密度は、アルキメデス法（液体中の固体が同体積の液体の重量と同じだけ浮力を受けるという自然法則を用いて試料の密度を求める方法である）を用いた電子比重計（ミラージュ貿易（株）製 ＥＤ−１２０Ｔ）を用いて測定した。また、累積気孔容積は、水銀圧入法により気孔分布測定を行い、その結果をグラフ化して求めた。水銀圧入法において、最大圧力は１０８ＭＰａまで加圧し、気孔半径は、水銀ポロシメーターの水銀印加圧力からワッシュバーンの式により求めた。ワッシュバーンの式は、ｒ＝−２δｃｏｓθ／Ｐで示され、ここで、ｒ：気孔の半径、δ：水銀の表面張力（４８０ｄｙｎｅ／ｃｍ）、θ：接触角（本発明では、１４１．３°を使用）、Ｐ：圧力、である。
【００２３】
【表１】
2014162694.tif 000003
【００２４】
表１及び図１から明らかなように、実施例１〜３のものは比較例１，２のものに比べて、かさ密度が高く、且つ、気孔半径１μｍ以上の累積気孔容積が全て４０ｍｍ３／ｇ以下で、小さくなっていることが認められる。
【００２５】
（実験２）
上記実施例１〜３及び比較例１，２で示した熱処理炉用トレーのオイル浸み込み量を調べたので、その結果を上記表１及び図２に示す。尚、実験は下記のようにして行った。
上記実施例１〜３及び比較例１，２で示した熱処理炉用トレーを予め重量測定し、それぞれ１２０℃の油中に、大気圧下で１時間浸漬した後に３０分静置して浸漬後の重量測定を行った。増加した重量を表面積で除して、体積当たりの油の浸透量を算出した。
【００２６】
本発明者らは、オイル浸み込み量が４０ｍｇ／ｃｍ３を超えると、油や洗浄工程の溶剤が熱処理炉用トレーの気孔に浸透し残存するため、炉内真空度が著しく低下するといった不具合が生じることを見出した。表１及び図２から明らかなように、実施例１〜３ではオイル浸み込み量が全て４０ｍｇ／ｃｍ３以下であるのに対して、比較例１，２ではオイル浸み込み量が全て４０ｍｇ／ｃｍ３を超えていることが認められる。したがって、実施例１〜３では、炉内真空度が著しく低下するといった不都合を回避できる。
【産業上の利用可能性】
【００２７】
本発明は浸炭処理等に用いることができる。
【図１】
2014162694.tif 000004
【図２】
2014162694.tif 000005